(57)【要約】      （修正有）【課題】２本のしめ縄を組み合わせることで、左右対称と成って外観的にバランスのとれたハート型しめ縄を提供する。【解決手段】両しめ縄２ａ，２ｂの基部側を下にして結束し、先端部を両側へ広げると共に下方へ移動して滑らかに湾曲し、そして結束した基部側の下方に位置して先端側を結束して左右対称のハートを形成している。【選択図】図１
0003179480.tif 000002
【実用新案登録請求の範囲】
【請求項１】
２本のしめ縄を使用し、両しめ縄の基部側を下にして結束し、先端部を両側へ広げると共に下方へ移動して滑らかに湾曲し、そして上記結束した基部の下方に位置して先端側を結束することで左右対称のハートを形成したことを特徴とするハート型しめ縄。
【請求項２】
上記基部側に恋愛成就を願う二人の名前、また家族の名前を記入するカードを取付けた請求項１記載のハート型しめ縄。
【請求項３】
しめ縄にマツボックリや御幣などの飾りを取付けた請求項１、又は請求項２記載のハート型しめ縄。
【考案の詳細な説明】
【技術分野】
【０００１】
本考案は、稲ワラ、イ草、麻、又は紙などから作られるハート型をしたしめ縄に関するものである。
【背景技術】
【０００２】
しめ縄とは神道における神祭具であり、天照大神が天岩戸から引き出された際、二度と天岩戸に入れないよう太玉命がしめ縄で戸を塞いだのが起源とされている。しめ縄の縄目は、北極星の周りを回る星々と同様の回転方向でもって螺旋状に三束を撚り合わせて糸の象形を作っている。しめ縄・しめ飾りには、大根締め、ゴボウ締め、輪飾りなど色々な種類の形式があり、 大根締めは両端がつぼまり、ゴボウ締めは片側のみが細く成っている。
【０００３】
稲や麻などの藁や、葛の茎を煮て抽出した繊維が使われるが、近年の家庭用のしめ飾りにはビニール製のものも増えてきている。神道としての本来の意味としては、米を収穫したあとの藁ではなく、出穂前の青々とした稲を刈り取って乾燥させたものが本来である。また、心材としてお米を収穫したあとの藁も使用するが、太さが必要なしめ縄には多くの芯わらが使用されている。
【０００４】
そして、しめ縄の飾り始める日は松飾りの飾る期間と同じ扱いで良いが、地域によって風習は異なり、現在ではクリスマス後から２８日までに飾る事が一般的である。飾りを取り外す日も地域によってその風習が異なり、１月７日に七草がゆを食べた後、若しくは１５日の小正月の後に取り外すとされるが、三重県伊勢地方のように一年中しめ縄が飾られる地域もある。
【０００５】
このように、しめ縄に関しては地域の風習によって、その形態及び神棚や家の玄関などへの飾り方に関しては色々ある。
図５は従来から使われている代表的なしめ縄を表している。
（ａ）このしめ縄は最も単純な形態で、３束を撚り合わせて構成され基部側と細くなっている先端側は結束され、そして複数枚の御幣が垂れている。このしめ縄は一般の家庭に設置されている神棚に取付けられる。長さは色々あるが、短いもので１尺、長いもので６尺と成っている。
（ｂ）このしめ縄は家庭の玄関先に取付けられる。
このしめ縄は先端部を細くしたゴボウ締めで、ダイダイ、その他の飾りを取付けている。
（ｃ）このしめ縄は家庭の大事な箇所に掛けることが出来る。
リング部を形成し、適当な箇所に引掛けて取付けることが出来る。
【０００６】
ところで、正月の初詣において、神様への願いごとの１つに、恋愛成就がある。若い人にとって、年の初めにこの恋愛成就を願う人は多く、神社には恋愛成就を叶える為のお守りは色々と販売されている。しかし、恋愛成就を叶える為のしめ縄は存在していない。勿論、恋愛に限らず、家庭の絆を保ち、その願いを年の初めに願うことは幸せな家庭を築く為にも重要であり、願いをしめ縄として形作り、神棚に奉納したり、家庭の神棚や居間に掛けることも意味があると思われる。
【０００７】
特開２００５−７４１４３号に係る「御札用神棚」は、神棚のミニチュア版のイメージを十分に彷彿させることが出来るもので、縦長状のケース本体と、このケース本体の前面開口の収納凹所に前方から嵌め込まれた所定寸法の御札の上下端部をそれぞれ支持することができるように該ケース本体の上下水平杆の前面にそれぞれ固定された上下ストッパー板と、上方のストッパー板の下辺を基準にしてケース本体の上端部に複数個のオス・メス固着手段を介して張設されたミニチュアのしめ縄幕とから成っている。
【０００８】
マンション、アパートなど部屋が狭く、神棚を取り付け難い場所であっても、机、テーブル、棚、壁など所望する場所に手軽に設置することができると共に、設置場所如何を問わず、装飾感、高級感、神聖感等を損なわないようにしている。
一方、前記図５に示すように、従来のしめ縄は基部側（株元側）は太く、先端側（穂先側）は細くなり、しめ縄としての全体的な形状のバランスが崩れてしまい、外観的にも好ましくない。
【特許文献１】特開２００５−７４１４３号に係る「御札用神棚」
【考案の開示】
【考案が解決しようとする課題】
【０００９】
このように、恋愛成就を願い、また家族の絆を保つ為に神棚に奉げるしめ縄は存在しない。本考案が解決しようとする課題はこの問題点であり、恋愛成就や家族の絆を保ち、幸せを叶えるように神棚に奉げ、又は家庭の居間に掛けることが出来、しかも形状においてバランスを保ち、外観的に好ましいハート型しめ縄を提供する。
【課題を解決するための手段】
【００１０】
本考案に係るしめ縄は、その目的を限定するものではないが、特に恋愛成就であり、家族の絆を保つ為にその形状はハート型をしている。このハート型しめ縄は従来の最もシンプルなしめ縄を２本組み合わせて構成し、基部側端を結ぶと共に両側に開くように湾曲し、先端部を結んで構成している。従って、２本のしめ縄が左右対称に湾曲してハート型を形成することが出来る。
【００１１】
従って、２本のしめ縄にて形成されるハート型は左右のバランスが保たれている。ここで、しめ縄の材質は一般に昔から使われているワラや麻を用いるが、限定はしないことにする。そして、このハート型しめ縄には飾りを取付け、またお守りを取付けることも出来る。ただし、本考案に係るハート型しめ縄の大きさは特に限定せず、長くて太いしめ縄を使うならば大きなハート型しめ縄を構成することが出来る。
【考案の効果】
【００１２】
本考案のしめ縄はハート型をしたものであり、恋愛している二人はこのハート型しめ縄を神社で買って家庭の神棚に供えることが出来る。また、神社に設けている所定の場所に掛けて奉納することが出来る。このハート型しめ縄にはプレートを取付けることが出来、このプレートには二人の名前を記入することが可能となる。また、家族の絆を願う場合であるならば、プレートに家族全員の名前を記入して神棚に供えることが出来る。
そして、２本のしめ縄を組み合わせてハート型とすることで、全体の形状は左右バランスが保たれて、外観的にも好ましい形状となる。
【図面の簡単な説明】
【００１３】
【図１】本考案に係るハート型しめ縄を示す具体例。
【図２】２本のしめ縄の基部側を結束してＶ形とした場合。
【図３】基部側を結束してＶ形とした２本のしめ縄を外方向に拡げて湾曲した場合。
【図４】中央にプレートを取付けたハート型しめ縄の具体例。
【図５】従来の一般的なしめ縄を示す具体例。
【考案を実施するための形態】
【００１４】
図１は本考案に係るハート型しめ縄を表している実施例である。このハート型しめ縄１は２本のしめ縄２ａ，２ｂを組み合わせた構造で、中立軸Ｏ−Ｏを中心として左右対称形と成っている。同図に示すしめ縄２ａ，２ｂは３本の縄３ａ，３ｂ，３ｃを撚って作られ、太い基部側（株元側）と細い先端側（穂先側）が結束されている。従って、ハート型を形成したしめ縄は左右のバランスが保たれて、外観的には好ましい形状と成っている。
【００１５】
図２は２本のしめ縄２ａ，２ｂの基部側４，４を結束した場合であり、同図に示すように基部側４，４を結束することでその形状は概略Ｖ形と成る。ここで、しめ縄２ａ，２ｂの長さは特に限定するものではなく、一般的には３０ｃｍ〜４０ｃｍのものが使用される。また、しめ縄２ａ，２ｂを構成している縄３ａ，３ｂ・・・の本数に関しても限定はしないが、一般的は３本としている。
すなわち、北極星の周りを回る星々と同様の回転方向でもって螺旋状に三束（３本の縄３ａ，３ｂ，３ｃ）を撚り合わせている。
【００１６】
図３は両しめ縄２ａ，２ｂを湾曲した場合を表している。すなわち、前記図２のように基部側４，４を結束した状態で図３のように両しめ縄２ａ，２ｂを外側へ拡げて湾曲し、そして先端側５，５を結束した上記基部側４，４より下方に位置して結束する。本発明のハート型しめ縄１は２本のしめ縄２ａ，２ｂの基部側４，４を結束して湾曲すると共に、先端側５，５を結束することで出来上がる。
【００１７】
従来においても１本のしめ縄２をリング状にしたものが知られているが、全体としての形状のバランスが取れない。本考案のように２本のしめ縄２ａ，２ｂを組み合わせて基部側４，４と先端側５，５を結束することで形成されるハート型しめ縄１は左右対称と成って、外観的にもバランスが保たれる。そして、その形状がハート型であることから、恋愛成就を願う二人の思いを叶えるために、また家族の絆を願う為に、神棚に供えることが出来る。
【００１８】
図４は特に恋愛成就を願う為のハート型しめ縄１の具体例で、中央の基部側４にはカード６を取付けている。また、プレートを取付けてもよい。そこで、このカード６に２人の名前を記入することが出来、これを家庭の神棚に供えたり、又は神社に設置した所定の場所に掛けて供えすることが出来る。そこで、神社ではこのカード６を取付けたハート型しめ縄１を販売し、２人でそれぞれ名前を記入する。
【００１９】
また、前記図１はハート型しめ縄１の基本形態であるが、図４は別形態でカード６を取付けたハート型しめ縄１を表し、さらに図１に示す基本形のハート型しめ縄１にマツボックリを取付けたり、また御幣を取付けることもある。さらには他の飾りを備えることも自由である。
【符号の説明】
【００２０】
１   ハート型しめ縄
２   しめ縄
３   縄
４   基部側
５   先端側
６   カード
【図１】
0003179480.tif 000003
【図２】
0003179480.tif 000004
【図３】
0003179480.tif 000005
【図４】
0003179480.tif 000006
【図５】
0003179480.tif 000007